(57)【要約】【課題】  キャリッジのフレキの巻き込み、ばたつきを防ぐ。【解決手段】  本体に対して移動可能なキャリッジと、前記キャリッジに電気的信号を伝達するために前記本体とキャリッジ間を接続するフレキシブルケーブルと、前記フレキシブルケーブルの浮き上がりを押さえるための本体に対して移動可能なケーブル押さえ部材と、を備え、前記ケーブル押さえ部材は前記ケーブル押さえ部材の全移動範囲内で、前記キャリッジより遅い速度で移動するよう構成されたことを特徴とするケーブル押さえ機構。【選択図】  図５
2007118240.tif 000002
【特許請求の範囲】
【請求項１】
本体に対して移動可能なキャリッジと、前記キャリッジに電気的信号を伝達するために前記本体とキャリッジ間を接続するフレキシブルケーブルと、前記フレキシブルケーブルの浮き上がりを押さえるための本体に対して移動可能なケーブル押さえ部材と、を備え、
前記ケーブル押さえ部材は前記ケーブル押さえ部材の全移動範囲内で、前記キャリッジより遅い速度で移動するよう構成されたことを特徴とするケーブル押さえ機構。
【請求項２】
請求項１に記載のケーブル押さえ機構において、前記ケーブル押さえ部材は、前記キャリッジの１/２の速度で移動することを特徴とするケーブル押さえ機構
【請求項３】
請求項１または２のいずれかに記載のケーブル押さえ機構において、前記ケーブル押さえ部材の移動範囲は、前記キャリッジの移動範囲より狭いことを特徴とするケーブル押さえ機構。
【請求項４】
請求項１〜３のいずれかに記載のケーブル押さえ機構において、前記ケーブル押さえ部材の駆動源は、前記キャリッジの駆動源と共通であることを特徴とするケーブル押さえ機構。
【請求項５】
請求項４に記載のケーブル押さえ機構において、前記ケーブル押さえ部材へ駆動を伝達するケーブル押さえ部材駆動ベルトと、前記キャリッジへ駆動を伝達するキャリッジ駆動ベルトと、前記ケーブル押さえ部材と前記キャリッジの共通の駆動源であるモータとを備え、前記モータは前記ケーブル押さえ部材駆動ベルトと前記キャリッジ駆動ベルトを駆動することを特徴とするケーブル押さえ機構。
【請求項６】
請求項５に記載のケーブル押さえ機構において、前記モータには、前記ケーブル押さえ部材駆動ベルトを駆動させる第１のモータプーリ部と、前記キャリッジ駆動ベルトを駆動させる第２のモータプーリ部とを備え、前記第１のモータプーリ部の歯数は前記第２のモータプーリ部の歯数より少ないことを特徴とするケーブル押さえ機構。
【請求項７】
請求項６に記載のケーブル押さえ機構において、前記第１のモータプーリ部の歯数は前記第２のモータプーリ部の歯数の１/２倍であることを特徴とするケーブル押さえ機構。
【請求項８】
請求項１〜７のいずれかに記載のケーブル押さえ機構を備えたことを特徴とする記録装置。
【発明の詳細な説明】
【技術分野】
【０００１】
本発明は、記録ヘッドによって被記録媒体に記録を行う記録装置に関するもので、特に、記録ヘッドを搭載したキャリッジへの信号の伝達にフレキシブルケーブルを用いた記録装置に関するものである。
【背景技術】
【０００２】
プリンタ、複写機、ファクシミリ等の機能を有する記録装置、あるいはコンピュータやワードプロセッサ等を含む複合型電子機器やワークステーションの出力機器として用いられる記録装置は、画像情報に基づいて用紙やプラスチック薄板等の被記録材（被記録媒体）に画像を記録していくような構成を有している。このような記録装置は、記録方式によってインクジェット式、ワイヤドット式、サーマル式、レーザービーム式等に分けることができる。
【０００３】
被記録材の搬送方向（副走査方向）と交差する方向に主走査するシリアルスキャン方式を採るシリアルタイプの記録装置においては、被記録材に沿って移動するキャリッジ上に搭載した記録手段によって画像が記録され、１行分の記録を終了した後に所定量の紙送り（ピッチ搬送）が行なわれるという動作を繰り返して、被記録材の全体に記録が行われる。一方、被記録材の搬送方向の副走査のみで記録するラインタイプの記録装置においては、被記録材を所定の記録位置にセットし、一括して１行分の記録を行った後、所定量の紙送り（ピッチ送り）を行い、さらに、次の行の記録を一括して行うという動作を繰り返すことによって、被記録材の全体に記録が行われる。
【０００４】
上記の記録装置のうち、シリアルスキャン方式を用いたインクジェット式の記録装置（インクジェット記録装置）は、記録手段（記録ヘッド）から被記録材にインクを吐出して記録を行うものであり、記録手段のコンパクト化が容易であり、高精細な画像を高速で記録することができ、特別の処理を施さない普通紙に記録することができ、ランニングコストが低く、ノンインパクト方式であるため騒音が少なく、しかも多色のインクを使用してカラー画像を記録するのが容易であるなどの利点を有している。
【０００５】
特に、熱エネルギーを利用してインクを吐出するインクジェット式の記録手段（記録ヘッド）は、エッチング、蒸着、スパッタリング等の半導体製造プロセスを経て基板上に成膜された電気熱変換体、電極、液路壁、天板等を形成することにより、高密度の液路配置（吐出口配置）を有するものを容易に製造することができ、一層のコンパクト化を図ることができる。
【０００６】
記録ヘッドには多数の記録素子が設けられており、記録装置の本体から記録ヘッドに記録素子の駆動信号を供給する必要があるが、シリアルスキャン方式の記録装置では記録ヘッドが移動するので、駆動信号の伝送にフレキシブルケーブルを使用することが多い。フレキシブルケーブルは細長くかつ薄いフィルム状をなしており、その内部または表面に駆動信号を伝達するための導体パターンが形成されている。フレキシブルケーブルは、Ｕ字状に曲げられてＵ字の一端で記録装置本体と接続にされ、他端で記録ヘッドに接続され、キャリッジの移動に伴って屈曲しかつ曲げの中心位置が移動するように可撓性を有している。
【０００７】
また、フレキシブルケーブルの浮きを押さえるためのケーブル押さえ部材が、キャリッジの移動により移動可能な構成となっている記録装置（特開平７−１８６４８２）や、キャリッジの移動に伴ってフレキシブルケーブルが摺動しながら接する面に、接触面積を減少させるための凸部（リブやボス、シボなど）設けた記録装置（特開平８−２０７３９４）なども提案されている。
【特許文献１】特開平７−１８６４８２号公報
【特許文献２】特開平８−２０７３９４号公報
【発明の開示】
【発明が解決しようとする課題】
【０００８】
フレキシブルケーブルの幅が小さくなり、厚さが薄くなると、フレキシブルケーブルの剛性が小さくなるが、それだけ腰がなくなる。このようなフレキシブルケーブルを小さなループ形成スペースで屈曲させると、図８（ａ）に示すように、摺接面１７においてフレキシブルケーブル４１４が受ける摺動抵抗の大きさによっては、フレキシブルケーブル４１４が外装１６とキャリッジ４００との間に巻き込まれ、フレキシブルケーブル４１４が折れ曲がったり、ケーブル上のパターンが断線するという事故が発生することがある。図８（ａ）、（ｂ）に示すような構成のプリンタでなくても、フレキシブルケーブルが壁部と摺動しながら接することが多く、何らかの巻き込み事故を起こす可能性が大きい。
【０００９】
また、キャリッジの走査幅の長い記録装置においては、フレキシブルケーブルもそれに伴い長くなるので、さらに巻き込み事故などを起こす可能性が大きくなる。
【００１０】
ここで、特開平７−１８６４８２のような構成の記録装置では、走査幅の長く、フレキシブルケーブルも長い記録装置の場合には、ケーブル押さえ部材が効果的となる範囲が全走査幅の中で少なくなってしまう。
【００１１】
また、特開平８−２０７３９４のような構成の記録装置では、フレキシブルケーブルと凸部を持つ壁面の隙間の管理が非常に難しく、その隙間が微妙に変化すると、フレキシブルケーブルと凸部の摺動抵抗が変化して、その効果が十分ではない場合などがみられる。
【００１２】
そこで本発明は、キャリッジの全走査範囲において、フレキシブルケーブルのたるみや巻き込みなどを防ぐケーブル押さえ機構及びその機構を用いた記録装置を提供することにある。
【課題を解決するための手段】
【００１３】
上記目的を達成するための第１の発明は、本体に対して移動可能なキャリッジと、前記キャリッジに電気的信号を伝達するために前記本体とキャリッジ間を接続するフレキシブルケーブルと、前記フレキシブルケーブルの浮き上がりを押さえるための本体に対して移動可能なケーブル押さえ部材と、を備え、
前記ケーブル押さえ部材は前記ケーブル押さえ部材の全移動範囲内で、前記キャリッジより遅い速度で移動するよう構成されたことを特徴とするケーブル押さえ機構である。
【００１４】
第２の発明は、第１の発明の構成において、前記ケーブル押さえ部材は、前記キャリッジの１/２の速度で移動することを特徴とする。
【００１５】
第３の発明は、第１または第２の発明の構成において、前記ケーブル押さえ部材の移動範囲は、前記キャリッジの移動範囲より狭いことを特徴とする。
【００１６】
第４の発明は、第１〜３の発明のいずれかの構成において、前記ケーブル押さえ部材の駆動源は、前記キャリッジの駆動源と共通であることを特徴とする。
【００１７】
第５の発明は、第４の発明の構成において、前記ケーブル押さえ部材へ駆動を伝達するケーブル押さえ部材駆動ベルトと、前記キャリッジへ駆動を伝達するキャリッジ駆動ベルトと、前記ケーブル押さえ部材と前記キャリッジの共通の駆動源であるモータとを備え、前記モータは前記ケーブル押さえ部材駆動ベルトと前記キャリッジ駆動ベルトを駆動することを特徴とする。
【００１８】
第６の発明は、第５の発明の構成において、前記モータには、前記ケーブル押さえ部材駆動ベルトを駆動させる第１のモータプーリ部と、前記キャリッジ駆動ベルトを駆動させる第２のモータプーリ部とを備え、前記第１のモータプーリ部の歯数は前記第２のモータプーリ部の歯数より少ないことを特徴とする。
【００１９】
第７の発明は、第６の発明の構成において、前記第１のモータプーリ部の歯数は前記第２のモータプーリ部の歯数の１/２倍であることを特徴とする。
【００２０】
第８の発明は、第１〜７の発明のいずれかのケーブル押さえ機構を備えたことを特徴とする記録装置である。
【００２１】
以上の構成をとることにより、キャリッジの動きに対応して、ケーブル押さえ部材も動くので、キャリッジの全走査範囲において、フレキシブルケーブルのたるみや巻き込みなどを防ぐことができる。加えて、フレキブルケーブルへの付与力の変動もなくすことができる。
【発明の効果】
【００２２】
以上説明したように、被記録媒体に記録を行う記録ヘッドを搭載し、本体に対して移動可能なキャリッジと、前記キャリッジに電気的信号を伝達するために前記本体とキャリッジ間を接続するフレキシブルケーブルと、前記フレキシブルケーブルの浮き上がりを押さえるための本体に対して移動可能なケーブル押さえ部材と、を備え、前記ケーブル押さえ部材は前記キャリッジより遅い速度で移動するよう構成することにより、キャリッジの動きに対応して、ケーブル押さえ部材も動くので、キャリッジの全走査範囲において、フレキシブルケーブルのたるみや巻き込みなどを防ぐことができる。加えて、フレキブルケーブルへの付与力の変動もなくすことができる。
【発明を実施するための最良の形態】
【００２３】
（実施例１）
以下、本発明の実施の形態について図面を参照して説明する。
【００２４】
図1は本発明の記録装置の外観斜視図である。２は回動可能に設けられたカバーを兼ねる給紙トレー、５は記録媒体を挿入する給紙口であり不使用時には給紙トレー２を閉じてホコリや異物の進入を防ぐことができる。６は記録媒体を排出する排紙口、３は回動可能に設けられた排紙カバーであり不使用時には給紙とレート同様に排紙カバー３を閉じてホコリや異物の進入を防ぐことができる。４は電源スイッチやＬＥＤなどからなる操作パネルである。
【００２５】
図２は、本発明の一実施形態のインクジェット記録装置の内部構造を示す斜視図である。外装や本発明に直接関わらない部分については図示省略してある。
【００２６】
本実施形態の記録装置の全体構成について簡単に説明すると、記録シート（記録媒体）を１枚ずつ装置本体内部へ給送する自動給紙部１００と、自動給紙部１００から送出される記録シートを所望の記録位置へと導き、その後この記録位置から排出する搬送部（記録媒体搬送手段）２００と、搬送部２００の下流に位置する排出部３００と、搬送部２００によって記録位置に搬送された記録シートに所望の記録を行うインクジェット記録ヘッドを含むキャリッジ４００と、キャリッジ４００のインクジェット記録ヘッド等に対する回復処理を行う回復部６００が、シャーシ１５等に取り付けられて、適宜連動するようになっている。キャリッジ４００と対向する記録位置には、記録シートを支持して案内するプラテン２０３が設けられている。図１において、記録シートの搬送方向は矢印Ａ１で示されており、キャリッジ４００の走査方向（往復動作方向）は矢印Ｂ１で示されている。
【００２７】
また記録装置の一番短い寸法を有する部分の面から直交する方向に記録媒体が排出されるように排紙口を設けてある。図１で説明すると装置の厚さ方向が一番短い寸法を有する面は横面、前面、後面である。本実施例では前面に排紙口を設けてある。
【００２８】
次に本実施例のキャリッジ構成について説明する。図２において、記録装置はガイドシャフト１１、ガイドレール１２を備え、キャリッジ４００はこれらガイドシャフト１１、ガイドレール１２に沿って往復走査を行う。また、キャリッジ４００にはキャリッジの位置を検出するためのリニアエンコーダ（不図示）が搭載されており、記録装置に取り付けられたコードストリップ１３のライン数を読み取ることによりキャリッジの位置を検出することができる。キャリッジの駆動源としてＤＣモータであるキャリッジモータ４１１を備え、キャリッジ駆動ベルト４１０を介してキャリッジ４００へ駆動力は伝達されている。なお、キャリッジモータ４１１と、リニアエンコーダ（不図示）を使用したフィードバック制御により、キャリッジ４００は往復走査を行い、記録媒体へ記録を行う。
【００２９】
次に、本実施例のフレキシブルケーブルを押さえるためのケーブル押さえ機構について説明する。
【００３０】
図３は本実施例のケーブル押さえ機構を説明する斜視図である。４１４はキャリッジへ電気的信号を伝達するためのフレキシブルケーブルである。そして、ケーブル押さえ部材４１５がケーブル押さえ部材駆動ベルト４１６に備えられている。ケーブル押さえ部材駆動ベルト４１６は、ケーブル押さえ部材用モータ４１７とケーブル押さえ部材用アイドラプーリ４１９により支持されている。ケーブル押さえ部材４１５は、センサ４２０により位置を検知され、パルスモータであるケーブル押さえ部材用モータ４１７により駆動され、移動可能となっている。
【００３１】
また、図３において、ケーブル押さえ部材駆動ベルト４１６はフレキシブルケーブル４１４の屈曲部が形成される範囲である、キャリッジ４００の走行範囲の非基準側半分の範囲に配置されている。（図３において、右側が基準側、左側が非基準側となっている。）
図３の斜視図をＣ１方向から見た図が図４（ａ）〜（ｃ）で、ケーブル押さえ部材４１５の一連の動きを説明した図である。なお、図４（ａ）〜（ｃ）においては、左側が基準側、右側が非基準側となっている。
【００３２】
図４（ａ）に示すようにキャリッジ４００が基準側の端部の位置Ａにある場合はフレキシブルケーブル４１４の屈曲部は、キャリッジ４００の走査範囲の中央部近傍にできるので、ケーブル押さえ部材４１５は位置Ｓにある。そして、キャリッジ４００が図４（ｂ）に示すように位置Ｂへ移動すると、キャリッジ４００の移動に対応して、ケーブル押さえ部材４１５は位置Ｔへ移動する。さらにキャリッジ４００が図４（ｃ）に示すように位置Ｃへ移動すると、キャリッジ４００の動きに対応して、ケーブル押さえ部材４１５は位置Ｕへ移動する。なお、ケーブル押さえ部材４１５の移動速度は、フレキシブルケーブル４１４がたるみのない状態のときの屈曲部が移動する速度であるので、キャリッジ４００の移動する速度の約１/２となるよう設定されている。また、ケーブル押さえ部材４１５はフレキシブルケーブル４１４の屈曲部に対応して移動しているので、ケーブル押さえ部材４１５がフレキシブルケーブル４１４の屈曲部に与えている付与力は常に一定であり、変化のないものとなっている。
【００３３】
以上、説明したように、キャリッジ４００の動きに対応して、ケーブル押さえ部材４１５も動くので、キャリッジの全走査範囲において、フレキシブルケーブル４１４のたるみや巻き込みなどを防ぐことができる。加えて、フレキブルケーブル４１４への付与力の変動もなくすことができる。
【００３４】
（実施例２）
本実施形態の説明では、第１の実施形態と異なる場合について説明する。
【００３５】
図５は本実施例のケーブル押さえ機構を説明する斜視図である。４１４はキャリッジへ電気的信号を伝達するためのフレキシブルケーブルである。そして、ケーブル押さえ部材４１５がケーブル押さえ部材駆動ベルト４１６に備えられている。ケーブル押さえ部材駆動ベルト４１６は、キャリッジモータ４１１とケーブル押さえ部材用アイドラプーリ４１９により支持されている。キャリッジ４００を駆動するキャリッジ駆動ベルト４１０もキャリッジモータ４１１とキャリッジ用アイドラプール４１３に支持されている。なお、ケーブル押さえ部材用アイドラプーリ４１９はキャリッジ用アイドラプーリ４１３に対して独立して回転する構成となっている。（図５において、右側が基準側、左側が非基準側となっている。）また、キャリッジモータ４１１のキャリッジモータプーリ４１２は図６に示すように、キャリッジ駆動ベルトを駆動するａ部とケーブル押さえ部材用ベルト４１６を駆動するｂ部とでは歯数が異なり、ａ部とｂ部の歯数の比は、ケーブル押さえ部材４１５がキャリッジ４００に対して約１／２の速度で移動するような関係になっている。
【００３６】
図５の斜視図をＣ１方向から見た図が図７（ａ）〜（ｃ）で、ケーブル押さえ部材４１５の一連の動きを説明した図である。なお、図７（ａ）〜（ｃ）においては、左側が基準側、右側が非基準側となっている。
【００３７】
図７（ａ）に示すようにキャリッジ４００が基準側の端部の位置Ａにある場合はフレキシブルケーブル４１４の屈曲部は、キャリッジ４００の走査範囲の中央部近傍にできるので、ケーブル押さえ部材４１５はあらかじめ位置Ｓとなるように配置する。そして、キャリッジ４００が図７（ｂ）に示すように位置Ｂへ移動すると、キャリッジ４００の移動に対応して、ケーブル押さえ部材４１５は位置Ｔへ移動する。さらにキャリッジ４００が図７（ｃ）に示すように位置Ｃへ移動すると、キャリッジ４００の動きに対応して、ケーブル押さえ部材４１５は位置Ｕへ移動する。
【００３８】
なお、ケーブル押さえ部材４１５の移動速度は、フレキシブルケーブル４１４がたるみのない状態のときの屈曲部が移動する速度と同様であるキャリッジ４００の移動速度の約１/２となるようキャリッジモータプーリ４１２のａ部とｂ部の比を設定しているので、常にケーブル押さえ部材４１５はフレキシブルケーブル４１４の屈曲部に対応しながら移動することができる。
【００３９】
また、ケーブル押さえ部材４１５はフレキシブルケーブル４１４の屈曲部に対応して移動しているので、ケーブル押さえ部材４１５がフレキシブルケーブル４１４の屈曲部に与えている付与力は常に一定であり、変化のないものとなっている。加えて、第１の実施形態と比較して、ケーブル押さえ部材用モータやケーブル押さえ部材４１５の位置を検出するセンサ４２０のない構成となっており、安価な構成となっている。
【００４０】
以上、説明したように、キャリッジ４００の動きに対応して、ケーブル押さえ部材４１５も動くので、キャリッジの全走査範囲において、フレキシブルケーブル４１４のたるみや巻き込みなどを防ぐことができる。加えて、フレキブルケーブル４１４への付与力の変動もなくすことができる。また、これらの効果を安価な構成で実現することができる。
【図面の簡単な説明】
【００４１】
【図１】本発明の実施形態の記録装置の外観斜視図である。
【図２】本発明の実施形態の記録装置の内部構造を示す斜視図である。
【図３】本発明の第１の実施形態のケーブル押さえ機構の斜視図である。
【図４】本発明の第１の実施形態のケーブル押さえ機構の一連の動きを説明する模式断面図である。
【図５】本発明の第２の実施形態のケーブル押さえ機構の斜視図である。
【図６】本発明の第２の実施形態のケーブル押さえ機構のキャリッジモータプーリを説明した斜視図である。
【図７】本発明の第２の実施形態のケーブル押さえ機構の一連の動きを説明する模式断面図である。
【図８】従来の記録装置を示す模式断面図である。
【符号の説明】
【００４２】
２  給紙トレー
３  排紙カバー
４  操作パネル
５  給紙口
６  排紙口
８  ＬＦローラ
９  ピンチローラ
１０  排紙ローラ
１１  ガイドシャフト
１２  ガイドレール
１３  コードストリップ
１５  シャーシ
１６  外装
１７  摺接面
１００  自動給紙部
２００  搬送部（記録媒体搬送手段）
２０３  プラテン
３００  排出部
４００  キャリッジ
４１０  キャリッジ駆動ベルト
４１１  キャリッジモータ
４１２  キャリッジモータプーリ
４１３  キャリッジアイドラプーリ
４１４  フレキシブルケーブル
４１５  ケーブル押さえ部材
４１６  ケーブル押さえ部材駆動ベルト
４１７  ケーブル押さえ部材用モータ
４１８  ケーブル押さえ部材用モータプーリ
４１９  ケーブル押さえ部材用アイドラプーリ
４２０  センサ
【図１】
2007118240.tif 000003
【図２】
2007118240.tif 000004
【図３】
2007118240.tif 000005
【図４】
2007118240.tif 000006
【図５】
2007118240.tif 000007
【図６】
2007118240.tif 000008
【図７】
2007118240.tif 000009
【図８】
2007118240.tif 000010